(57)【要約】【課題】  カレンダーの西暦、干支、月、曜日、時間を時計をスロットマシンの様な回転式にしその日の西暦、干支、月、曜日、時間等がそれぞれの色で輝きその日がすぐ分かります。近接センサー等でついたり消えたりしパソコン等のキーボード等やマグネットペンや消去レバーを使った永久カレンダーを提供する。【解決手段】  近接センサー等により近づいたり離れたりすると透明プラスチック等の箇所が光り輝き更に西暦や干支や月や曜日や時間を回転させその日の日付けの日や曜日等が輝きキーボードや電卓の様な物を使いボタンで書いたり消去したりホワイトボード等と水性ペンとマグネットペンを使い縦横移動のみで全ての予定や日程やスケジュールを消せるレバーを使用した永久カレンダーです。そして、カレンダーの数字の数に大吉数や六大吉数等を足し足した総数も良い数字にします。陰陽五行説や陰陽の配列もなるべく良い関係に直したカレンダーです。裏にマグネットやフックを付け冷蔵庫等にも付けられる様にします。【選択図】図９
2013109344.tif 000002
【特許請求の範囲】
【請求項１】
まず図１，２，３のように西暦〜年（平成〜年）と何月と干支と月曜日〜日曜日までの曜日や時間をスロットマシンの様な回転式にし図４のようにその日の年や干支や月や曜日や日付けや時間等の色がそれぞれの色で輝く（曜日事に七色透明プラスチックにより七色に輝く）一生使えるカレンダーを作りたいのです。それにより今日がいつどんな日なのかを一目で確認する事が出来ます。
【請求項２】
このカレンダーの内部の部分を電気で光る電子式にしたいのです。普段はパソコンのスリープになっている状態ですが、キーボードのボタンを押したり近接センサー等に近づいたりするとそれによりこのカレンダーの色付きプラスチックの箇所が光り輝く事になります。そして離れて１０秒〜３０秒位放って置くと自動でスリープ状態になります。
【請求項３】
僕は、このカレンダーの全てのデザインを（全宇宙の全ての神々様や大天使様や女神様やアセンデットマスター様等や世界遺産やお城や風景等）でデザインしプラスチック製の宝石の形の物や星の形等（いろいろ）を付けホログラム（光り輝く色）等やここにも透明な色付きプラスチック等や透明シート等を使って見た目や見栄えが良いカレンダーを作りたいのです。（オリジナルデザイン）色々なデザインのカレンダーを作りたいのです。
【請求項４】
僕はこのカレンダーに付属品として、色々な色やデザインを使った（透明な赤や青や緑や金と銀やホログラム等を使った）マグネットを付けたいのです。
そして折りたたみコンパクトマグネットボード（ポケットに入る位）等を付けたいのです。
【請求項５】
僕はこの永久ヒトメボレカレンダーに占星術の意味も付けて欲しいのです。つまり、地球に全ての星々様（神々様）等からパワーを受け取るという意味です。
【請求項６】
次にタカラトミー社様から出ている先生シリーズで使用されているホワイトボードやお絵かきボード等やパソコンで使う電卓やキーボード等を使った電子式カレンダーの様に水性ペンやマグネットペン等とボタン一つと縦横移動で全ての文字が消せるイレイサーレバー等を使用したいのです。これならば一か月の予定やスケジュールや今日の買い物等を書き、その月がかわればひと月分の予定やスケジュール等をまとめて消して次の月の予定等を書けば良いだけだからです。
一見するとパソコンの中の機能と一緒だと思うかも知れません。しかしパソコンは確かに色々な機能が付いていてとても便利で素晴らしい物ですが機能がありすぎて欠点も中にはあります。ですからこのカレンダーとパソコンに入っているカレンダーは別物だと思って下されば幸いです。まずパソコンからカレンダーを見るのに電源を入れなければなりません。その後、カレンダーの部分を開かなければなりません。
しかしこのカレンダーはあくまでカレンダーのみに絞りましたのでまずキーボードや近接センサーに触れたり近づくとすぐにその日がいつなのかがすぐに把握できます。今日の予定等もすぐにわかります。（カレンダーの機能だけにこだわった永久カレンダーです。）
電気代がもったいないという方はマグネットペンと消去レバー付きの方をお勧めします。
【請求項７】
カレンダーの日付けの数字の１日から３１日の数には、六大吉数、大吉数、吉数凶数、大凶数、四大凶数等というものが有ります。姓名判断等全ての数字に当てはまります。ちなみに、１が大吉数で２が大凶数で３が大吉数で４が大凶数で５が大吉数で６が六大吉数で７が吉数で８が吉数で９が四大凶数で１０が四大凶数で１１が大吉数で１２が大凶数で１３が大吉数で１４が凶数で１５が六大吉数で１６が大吉数で１７が吉数で１８が吉数で１９が四大凶数で２０が四大凶数で２１が大吉数で２２が凶数で２３が大吉数で２４が六大吉数で２５が吉数で２６が凶数で２７が凶数で２８が凶数で２９が大吉数で３０が凶数で３１が六大吉数となっています。このカレンダーの日付けの数字にカバラ六芒星や手相の良いマークの幸運のフィッシュ等を使い姓名判断等の良い数字を３つ足し総数が大吉数等にパワーアップさせるカレンダーです。
【請求項８】
カバラ六芒星や幸運のフィッシュ等を使いその中に入った数字に吉数や大吉数や六大吉数を三つ足します。それにより凶数や大凶数や四大凶数等を打ち消します。そして吉数、大吉数、六大吉数をよりパワーアップさせます。そして姓名判断と同じ用に数字を足すと、総数が吉数、大吉数、六大吉数となります。
【請求項９】
次に陰陽五行説を使用したカレンダーで有ります。図の６，７，８をみれば分かる様に今までのカレンダーの配置ですと１日から３１日までが、横並びだったり１日から５日が横並びで下の段の左下から始まっていました。
この並びですと上下左右斜めの関係が陰陽五行説の木、火、土、金、水の良い関係と、普通の関係と悪い関係が入りあまり良い関係とは言えないのです。
2013109344.tif 000004
木と良いのは水、火で火と良いのは木、土で土と良いのは火、金で金と良いのは土、水で水と良いのは金、木ですから今までのカレンダーの悪い関係をなるべく無くして良い関係と普通の関係になるようにしたいのです。
【請求項１０】
次に陰陽の配列で陰、偶数、陽、奇数、そして図８の様に陰と陽がなるべくバランス良く入っている配列なのです。この図８の陰と陽をなるベくバランス良くいれる事によって更に数字の力をパワーアップさせてくれます。そしてカバラ六芒星の色や数字の色もすう種類に分けて色を付けたいのです。
【請求項１１】
このボードの裏に図５のようにフックとマグネットとコンセント等と日付け調節等を付けたいのです。冷蔵庫に付けられれば便利だからです。
【請求項１２】
この数字を世界中のそれぞれの国の良い数字を足したいのです。
（例えば、日本では４や９の数字は嫌われていますがアメリカ合衆国なら悪い数字ではありません。）（他中国でも４や８という数字が好まれています。）
僕は今世界中の森林が無くなり自然破壊されて地球温暖化等の数々の異常気象がおこっているのをニュースで見てこのままではまずいと思い考えました。
確かにたかがカレンダーでは無いかと思うかも知れません。
しかし一人で見ると大したことは有りませんが世界中には７０億人近くの人間がいます。確かに７０億人全てな訳はありませんが１０億人〜３０億人が毎年カレンダーを買っているとすれば毎年毎年カレンダーだけでもすごいりょうの自然破壊がなされています。ですから、これから少しづつでもいいから自然破壊等を止めて行かなければならないと思い考えました。
【発明の詳細な説明】
【０００１】  本発明は今までの永久カレンダーに西暦、干支、何月、何曜日、時間等を時計やスロットマシンの様に回転させたりパソコン等の電子式の様にし普段はパソコンでいうとスリープの状態なっており近接センサー等やキーボード等のボタンにより電気が光、それによりその日の西暦、干支、何月、何曜日、日にち、何時何分等が輝き今がいつなのかがひと目で分かる永久カレンダーに関します。キーボードから手を放して約１０秒〜３０秒放って置くと自動でスリープ状態になります。
【０００２】  この図８のカレンダーにホログラム（光り輝く）色や透明色付きプラスチック等を使って作りたいのです。
【０００３】  神々様や大天使様や女神様等を入れてオリジナルなカレンダーを作りたいのです。
【０００４】  このカレンダーに世界遺産やお城等のデザインや美しい景色等のデザインにしたいのです。
【０００５】  このカレンダーに色々な色とデザインのマグネットと（透明な赤や青や緑や金色や銀色等）付けたいのです。コンパクトマグネットボード（ポケットにしまえる位）を付けたいのです。
【０００６】  このカレンダーの星々様や神々様等にプラスチック製の星や宝石型の物も付けたいのです。（オリジナルなデザインにしたいのです）
【０００７】  そして今Ｒａｙｍａｙ社様や株式会社アスカ様から発売されているスケジュールボードはとても便利です。カレンダーの文字や日付けを書けて消せますが、まだ改良のよちはあると思います。
【０００８】  そして図８のように電卓やキーボード等の様な物を使用したり水性ペンやマグネットペン等や全ての文字をボタン一つと縦横移動で予定等を消せるイレイサーレバー付きです。このボタンを押したりレバーを縦横に移動するだけで消したい文字をまとめて消去出来る電子式カレンダーや書いたら消せる永久カレンダーです。
【０００９】  本発明は、カレンダーの１日から３１日までの日付けの数字に関し、凶数の日付けの数字を吉日の数字にし、一生使えるカレンダーを作る事に関します。
【００１０】  今までのカレンダーは１日から３１日までのカレンダーとして出来ていました。そして、その並び方も、ほとんどのカレンダーが同じで陰陽五行説に元ずくと良いと悪い関係がまざってしまいます。
【００１１】  しかし今までのカレンダーは数字の数に、吉数、大吉数、六大吉数、凶数、大凶数、四大凶数等がある事を知らないのです。世の中の全ての数字にそれがあるのです。
そして僕が調べた結果、吉数、大吉数、六大吉数が１８日あり、凶数、大凶数、四大凶数が１３日あります。つまり、３１日の日付けの数の三分の一以上が凶数の数の日付けです。
僕は、これを何とかしようと考えました。
【００１２】  そして今までのカレンダーは、一年が過ぎれば買い替えなければいけませんでした
【問題を解決する為の手段】
【００１３】  まず凶数の日付けを吉にちかづける為にカバラの六芒星や手相の良い印フィッシュ（魚のマーク）等使用します。カバラの六芒星やフィッシュの中に数字が入る事により、数字がパワーアップします。
【００１４】  次にカバラの六芒星やフィッシュ等に入った数字の外に姓名判断等で使用される１の大吉数、３の大吉数、６の六大吉数、７の吉数、８の吉数を３つ加えます。それにより、凶の数字の日付けの数字を打ち消します。そして姓名判断と同じ用に数字を足しても、総数が吉数、大吉数、六大吉数になります。そして、更にパワーアップします。
【００１５】  次に図５図６図７図８の陰陽五行説の木、１，２、火、３、４、土、５、６、金、７，８、水、９、１０、を出来るだけ良い関係にする事と悪い関係を出来るだけ減らす事と陰、偶数、陽、奇数を出来るだけバランスのとれた配列にすることです。そして、更にパワーアップします。
【００１６】  このカレンダーの配列にはまん中の何月を表す場所が地球にあたる場所になります。
そしてまん中を包むように六芒星の星々様達や太陽（アマテラスオオミカミ様）右上や月（アルテミス様）左上が地球にパワーやエネルギーを与えて下さっているという占星術をイメージしてデザインしました。その他の（デザインもあります）
【００１７】  このカレンダーにより１３個の凶数の日にちを吉に近づける事が出来１８個の吉数の日を  パワーアップさせます。そして、一生使えます。
【００１８】  いっけんするとパソコンの中にも同じ様な機能があるでは無いかと思われるかも知れませんがパソコンの場合ですとあまりにも機能がありすぎます。ですからパソコンでカレンダーを開きたい場合まずパソコンを起動させなければなりません。次に今度はパソコンのたくさんのシステムからカレンダーをクリックする必要があります。ですのでこの永久カレンダーはカレンダーのみにじゅうてんを置きキーボード等のボタン一つでカレンダーの一月が見れますし西暦、干支、月、曜日、時間等を回転させたり光輝く事により今はいつ、今日の予定等や買い物等がすぐに分かります。特に学校や病院や会社等の様な施設に特に効果があると思い考えました。
【００１９】このカバラ六芒星の外に足す数字を世界中の国々で良いとされている数字を使いたいのです。
（日本では良い数字ですが他の国では悪い数字は使わずに日本では悪い数字ですが他の国では良い数字を使って世界中のカレンダーを作りたいのです。）
【００２０】もし万が一このカレンダーが世界中の多くの人に使われれば今、問題になっている環境破壊も解消する事が出来るかも知れません。何故なら今のカレンダーは一月から十二月までのカレンダーで一年たつと変えなければならなかったからです。皆様はたかがカレンダーでは無いかと思うかも知れませんが、これが世界中で今のカレンダーを使用するという事は物凄い環境破壊（自然破壊）となります。しかしこのカレンダーは変える必要は無く（壊れたら別です。すいません）このカレンダー一つで今の状況が把握できます。（西暦、干支、月、曜日、時間等が回転したり光り輝くため）一月の予定もスケジュールもすぐ書いたり消せたり出来ます。買い物に行くときはコンパクトマグネットボードを使って下さい。
もしこのカレンダーが世界中で使用される事になれば、森林破壊等が抑える事が出来ると思います。
もう何十億人の人間がカレンダー一つで森林を破壊するのはよしましょう。
【図面の簡単な説明】
【００２１】
【図１】  図の１の曜日回転式の図  この図１図２図３の意味は一日が過ぎれば時計やスロットマシンの様に西暦、干支、月、曜日（月、火、水、木、金、土、日）や時間等が回転して色付き透明プラスチックや（シート）がその日の西暦や干支や月や曜日や時間の色で輝くので今日という日がすぐにわかります。
【図２】  図の９の変化する場所の拡大図  この図１，２，３は図９の変化する場所の拡大図です。この意味は、西暦〜年（平成〜年）と何月と干支と曜日や（月曜、火曜、水曜、木曜、金曜、土曜、日曜）時間の何時何分のかしょがスロットマシンの様な回転式でどのような日付けにも合わせることが出来ます。
【図３】  図３このカレンダーの一部分です  中心に西暦や干支や月等が入り外側に曜日や時間が入りそしてまん中が回転したり外側が回ったりし更に電気（ディスクトップ）が光る事によって透明色付きプラスチック（シート）によりそれぞれの色で光り輝く事でその日がいつなのかすぐに分かる事が出来ます。
【図４】  図の４はこのカレンダーの中の構造  そして、図４の意味はこのカレンダーの中の内部の構造部分の図です。このカレンダーの内部には少し複雑でどう書いたら良いのかむずかしくこのような図になりました。説明をすると、コンセントから電気をとおし内部に時計などで使われている歯車などをいくつか使い歯車と歯車がかみ合う事により西暦、干支、月、曜日等が自動回転します。それにより、永久カレンダーとしてお使い頂けます。
【図５】  図の５はこのカレンダーの中の構造  そして、図５の意味はこのカレンダーの中の内部部分が光り黒いボードが入っていてその日付けの日や曜日になると、その日付けを表す年や干支や月や曜日や時間の部分が開いたり閉じたりしその日付けに関係している部分がそれぞれの色に変わりながら輝き（ひかる）一目見ただけで今日の日付けがわかります。
【図６】
2013109344.tif 000003
【図７】  今までのカレンダー陰陽五行の配列  この図７図８の今までのカレンダー表を見て頂ければ解かるとうり上下左右斜め全ての数字が陰陽五行説の良い関係と普通の関係と悪い関係が入っています。ですから、良い関係を悪い関係が邪魔しているのです。これでは、あまり良い関係とはいいません。これをなるべく良い関係と普通の関係のみにしたいのです。悪い関係を出来るだけ無くしたいのです。
【図８】  今までのカレンダー陰陽五行の配列  この図７図８の今までのカレンダー表を見て頂ければ解かるとうり上下左右斜め全ての数字が陰陽五行説の良い関係と普通の関係と悪い関係が入っています。ですから、良い関係を悪い関係が邪魔しているのです。これでは、あまり良い関係とはいいません。これをなるべく良い関係と普通の関係のみにしたいのです。悪い関係を出来るだけ無くしたいのです。
【図９】  今までのカレンダー陰陽五行の配列  この図７図８の今までのカレンダー表を見て頂ければ解かるとうり上下左右斜め全ての数字が陰陽五行説の良い関係と普通の関係と悪い関係が入っています。ですから、良い関係を悪い関係が邪魔しているのです。これでは、あまり良い関係とはいいません。これをなるべく良い関係と普通の関係のみにしたいのです。悪い関係を出来るだけ無くしたいのです。僕が学んだ数字の良い数字を足して足した総数も大吉数や六大吉数となり今までのカレンダーの陰陽五行も悪い関係をなるべく無くしてどの数字もなるべく良い関係と普通の関係しか入らず占星術の意味も含め一生使えて日付けも間違えにくくなるカレンダーの完成の一歩手前（未完成）の図です。（ここに、色などの色々なデザインもくわえる為です。）
【図１０】  背面図  この図１０はこのカレンダーの背面図です。まずマグネットが付いており冷蔵庫等にも付きます。そしてフックも付いていて壁等にも付けられます。そして、コンセント等（電池）と日付け調節等があります。（材料はなるべく軽い物を使用プラスチック等です。）
【図１】
2013109344.tif 000005
【図２】
2013109344.tif 000006
【図３】
2013109344.tif 000007
【図４】
2013109344.tif 000008
【図５】
2013109344.tif 000009
【図６】
2013109344.tif 000010
【図７】
2013109344.tif 000011
【図８】
2013109344.tif 000012
【図９】
2013109344.tif 000013
【図１０】
2013109344.tif 000014